(57)【要約】      （修正有）【課題】クローゼットが占める専有面積を変えることなく、ハンガーに吊り下げる衣服の収納枚数を約１．５倍に増やすことができるハンガーパイプ結合具及びそれを用いた組立式クローゼットを提供する。【解決手段】第１の水平パイプが着脱可能に挿着される第１水平挿着孔１４ａが穿設された第１水平受け部２２ａと、ハンガーパイプ結合具本体１２ａの他端部に設けられ、前記第１の水平パイプに平行する第２の水平パイプが着脱可能に挿着される第２水平挿着孔５４ａが穿設された第２水平受け部５２ａと、前記第１の水平パイプ及び第２の水平パイプのそれぞれに直交する第１の垂直パイプ及び第２の垂直パイプが着脱可能に挿着される第１垂直挿着孔５６ａ及び第２垂直挿着孔５８ａがそれぞれ穿設された第１の垂直受け部６０ａ及び第２の垂直受け部６２ａとを含む。【選択図】図１
0003147576.tif 000002
【実用新案登録請求の範囲】
【請求項１】
複数本の垂直パイプ及び複数本の水平パイプ並びに複数本のハンガーパイプを組み付けてなるクローゼット枠体にカバー部材を被せてなる組立式クローゼットを組み立てるに際して用いられる組立式クローゼット用のハンガーパイプ結合具であって、
長尺状のハンガーパイプ結合具本体と、
前記ハンガーパイプ結合具本体の一端部に設けられ、第１の水平パイプが着脱可能に挿着される第１水平挿着孔が穿設された第１水平受け部と、
前記ハンガーパイプ結合具本体の他端部に設けられ、前記第１の水平パイプに平行する第２の水平パイプが着脱可能に挿着される第２水平挿着孔が穿設された第２水平受け部と、
前記第１の水平パイプ及び第２の水平パイプのそれぞれに直交する第１の垂直パイプ及び第２の垂直パイプが着脱可能に挿着される第１垂直挿着孔及び第２垂直挿着孔がそれぞれ穿設された第１の垂直受け部及び第２の垂直受け部と、
を含み、
前記パイプ結合具本体の中央部に設けられ、ハンガーを吊り下げるためのハンガーパイプを挿入するためのハンガーパイプ挿入孔が少なくとも横２列縦２行に複数個穿設されてなり、該複数個のハンガーパイプ挿入孔のうち、対角線に位置するハンガーパイプ挿入孔に少なくとも二本のハンガーパイプを段違いで掛架しうるようにしたことを特徴とするハンガーパイプ結合具。
【請求項２】
請求項１記載の前記ハンガーパイプ結合具を一対相対向して設け、
前記第１水平挿着孔及び第２水平挿着孔のそれぞれに第１の水平パイプ及び第２の水平パイプを挿入し、
前記少なくとも縦２行横２列に穿設されたハンガーパイプ挿入孔のうち、対角線上に並んだ２つのハンガーパイプ挿入孔に第１ハンガーパイプ及び第２ハンガーパイプを挿入して段違いで掛架し、
前記第１垂直挿着孔及び第２垂直挿着孔に第１の垂直パイプ及び第２の垂直パイプをそれぞれ挿入し、前記第１の垂直パイプ及び第２の垂直パイプにパイプ結合具を組み付けてクローゼット枠体を形成し、
前記クローゼット枠体を、取り出し部が形成されたカバー部材で覆うことにより、略直方形状とされてなることを特徴とする組立式クローゼット。
【請求項３】
前記少なくとも縦２行横２列に穿設されたハンガーパイプ挿入孔のうち、対角線上に並んだ２つのハンガーパイプ挿入孔に第１ハンガーパイプ及び第２ハンガーパイプを挿入することで、
前記組立式クローゼットの背面側に設けられたハンガーパイプよりも、前記組立式クローゼットの正面側に設けられたハンガーパイプの方を低く取り付けることもできるし、
前記組立式クローゼットの正面側に設けられたハンガーパイプよりも、前記組立式クローゼットの背面側に設けられたハンガーパイプの方を低く取り付けることもできるようにしたことを特徴とする請求項２記載の組立式クローゼット。
【請求項４】
前記パイプ結合具にさらに下方垂直パイプをそれぞれ挿入し、前記下方垂直パイプに下方パイプ結合具を組み付けることにより、クローゼット枠体を形成するようにしたことを特徴とする請求項２記載の組立式クローゼット。
【請求項５】
前記クローゼット枠体の下端部にキャスター部材を設けたことを特徴とする請求項２〜４いずれか１項記載の組立式クローゼット。
【考案の詳細な説明】
【技術分野】
【０００１】
本考案は、洋服などの衣類を収納する組立式クローゼットに用いられるハンガーパイプ結合具及びそれを用いた組立式クローゼットに関する。
【背景技術】
【０００２】
従来、特に家庭や店頭・店内等で衣服類を収納するのに用いられる組立式のクローゼットとして、金属製のパイプを結合具を介して組み立ててクローゼット枠体とし、該枠体を不織布のカバー材で覆った組立式のクローゼットが知られている。
【０００３】
そして、ハンガーに吊り下げた衣服の保管枚数に応じて幅を拡縮させて収納スペースを増やしたり、減らしたりすることのできる組立式クローゼットもあり、こういった組立式クローゼットのカバー構造なども提案されている（特許文献１〜３）。
【０００４】
しかし、クローゼット枠体をスライドさせるなどして、衣服の収納スペースを増やすようにすると、スライドさせる分のスペースを確保しなければならないという問題があった。
【特許文献１】実用新案登録第３００７４５８号公報
【特許文献２】実用新案登録第３０３６９６１号公報
【特許文献３】実用新案登録第３１４１０１１号公報
【考案の開示】
【考案が解決しようとする課題】
【０００５】
本考案は、上記問題点に鑑みてなされたものであり、簡単かつコストのかからない構造で、クローゼットが占める専有面積を変えることなく、ハンガーに吊り下げる衣服の収納枚数を約１．５倍に増やすことができるようにしたハンガーパイプ結合具及びそれを用いた組立式クローゼットを提供することを目的とする。
【課題を解決するための手段】
【０００６】
上記課題を解決するために、本考案のハンガーパイプ結合具は、複数本の垂直パイプ及び複数本の水平パイプ並びに複数本のハンガーパイプを組み付けてなるクローゼット枠体にカバー部材を被せてなる組立式クローゼットを組み立てるに際して用いられる組立式クローゼット用のハンガーパイプ結合具であって、
長尺状のハンガーパイプ結合具本体と、
前記ハンガーパイプ結合具本体の一端部に設けられ、第１の水平パイプが着脱可能に挿着される第１水平挿着孔が穿設された第１水平受け部と、
前記ハンガーパイプ結合具本体の他端部に設けられ、前記第１の水平パイプに平行する第２の水平パイプが着脱可能に挿着される第２水平挿着孔が穿設された第２水平受け部と、
前記第１の水平パイプ及び第２の水平パイプのそれぞれに直交する第１の垂直パイプ及び第２の垂直パイプが着脱可能に挿着される第１垂直挿着孔及び第２垂直挿着孔がそれぞれ穿設された第１の垂直受け部及び第２の垂直受け部と、
を含み、
前記パイプ結合具本体の中央部に設けられ、ハンガーを吊り下げるためのハンガーパイプを挿入するためのハンガーパイプ挿入孔が少なくとも縦２行横２列に複数個穿設されてなり、該複数個のハンガーパイプ挿入孔のうち、対角線に位置するハンガーパイプ挿入孔に少なくとも二本のハンガーパイプを段違いで掛架しうるようにしたことを特徴とする。
【０００７】
このような構成とすれば、金属製のパイプからなる枠体にカバー部材を被せた組立式のクローゼットにおいて、少なくとも二本のハンガーパイプを段違いで掛架することで、組立式クローゼットを設置したときにクローゼットが占める専有面積を変えることなく、衣服の収納枚数を約１．５倍に増やすことができる。本考案のハンガーパイプ結合具の材質は特に限定されないが、例えばポリプロピレン等のプラスチック材料から構成することができる。
【０００８】
なお、本考案のパイプ結合具の大きさは、組立式クローゼットに用いることのできる大きさであればよく、特に限定されないが、例えば、長さ５０ｃｍ程度であればよい。
【０００９】
本考案に係る組立式クローゼットは、前記ハンガーパイプ結合具を一対相対向して設け、前記第１水平挿着孔及び第２水平挿着孔のそれぞれに第１の水平パイプ及び第２の水平パイプを挿入し、
前記縦２行横２列に穿設されたハンガーパイプ挿入孔のうち、対角線上に並んだ２つのハンガーパイプ挿入孔に第１ハンガーパイプ及び第２ハンガーパイプを挿入して段違いで掛架し、
前記第１垂直挿着孔及び第２垂直挿着孔に第１の垂直パイプ及び第２の垂直パイプをそれぞれ挿入し、前記第１の垂直パイプ及び第２の垂直パイプにパイプ結合具を組み付けてクローゼット枠体を形成し、
前記クローゼット枠体を、取り出し部が形成されたカバー部材で覆うことにより、略直方形状とされてなることを特徴とする。
【００１０】
上記構成により、少なくとも二本のハンガーパイプを段違いで掛架することで、衣服の収納枚数を約１．５倍に増やすことができるという利点がある。
【００１１】
また、前記少なくとも縦２行横２列に穿設されたハンガーパイプ挿入孔のうち、対角線上に並んだ２つのハンガーパイプ挿入孔に第１ハンガーパイプ及び第２ハンガーパイプを挿入することで、前記組立式クローゼットの背面側に設けられたハンガーパイプよりも、前記組立式クローゼットの正面側に設けられたハンガーパイプの方を低く取り付けることもできるし、前記組立式クローゼットの正面側に設けられたハンガーパイプよりも、前記組立式クローゼットの背面側に設けられたハンガーパイプの方を低く取り付けることもできるようにするのが好適である。前記ハンガーパイプ挿入孔の数としては、対角線上に並んだハンガーパイプ挿入孔にハンガーパイプを挿入するようにすればよいものであるから、少なくとも縦２行横２列にされていればよく、行と列の数が一致している限り、例えば、縦３行横３列の構成にしてもよい。
【００１２】
このように構成すれば、複数のハンガーパイプを段違いに取り付ける場合、場所によっては、手前側のハンガーパイプの方が低くなるように取り付ける方がよい場合もあるし、奥前のハンガーパイプの方が低くなるように取り付ける方がよい場合もあるので、必要に応じて、ハンガーパイプを付け替えることができるからである。
【００１３】
また、前記パイプ結合具にさらに下方垂直パイプをそれぞれ挿入し、前記下方垂直パイプに下方パイプ結合具を組み付けることにより、クローゼット枠体を形成するようにしてもよい。
【００１４】
さらに、前記クローゼット枠体の下端部にキャスター部材を設ける構成とすれば、本考案の組立式クローゼッを容易に移動させることができる。
【考案の効果】
【００１５】
本考案によれば、簡単かつコストのかからない構造でハンガーに吊り下げる衣服の収納枚数を約１．５倍に増やすことができるようにしたハンガーパイプ結合具及びそれを用いた組立式クローゼットを提供することができるという著大な効果を奏する。
【考案を実施するための最良の形態】
【００１６】
以下に本考案の実施の形態を添付図面に基づいて説明するが、本考案の技術思想から逸脱しない限りこれらの実施の形態について種々の変更又は変形が可能なことは言うまでもない。
【００１７】
図１は本考案のハンガーパイプ結合具を示す斜視図、図２は本考案の組立式クローゼットのクローゼット枠体を示す斜視図、図３は本考案の組立式クローゼットを組み立てた状態を示す斜視図である。
【００１８】
図において、符号１０ａは本考案のハンガーパイプ結合具を示す。図１によく示される如く、ハンガーパイプ結合具１０ａは、複数本の垂直パイプ２４ａ〜２４ｄ，２８ａ〜２８ｄ及び複数本の水平パイプ１８ａ〜１８ｅ並びに複数本のハンガーパイプ２０ａ，２０ｂを組み付けてなるクローゼット枠体４８にカバー部材４６を被せてなる組立式クローゼット５０を組み立てるに際して用いられる組立式クローゼット用のハンガーパイプ結合具である。
【００１９】
図１において、ハンガーパイプ結合具１０ａは、長尺状のハンガーパイプ結合具本体１２ａと、前記ハンガーパイプ結合具本体１２ａの一端部に設けられ、第１の水平パイプ１８ａが着脱可能に挿着される第１水平挿着孔１４ａが穿設された第１水平受け部２２ａと、前記ハンガーパイプ結合具本体１２ａの他端部に設けられ、前記第１の水平パイプ１８ａに平行する第２の水平パイプ１８ｂが着脱可能に挿着される第２水平挿着孔５４ａが穿設された第２水平受け部５２ａと、前記第１の水平パイプ１８ａ及び第２の水平パイプ１８ｂのそれぞれに直交する第１の垂直パイプ２４ａ及び第２の垂直パイプ２４ｂが着脱可能に挿着される第１垂直挿着孔５６ａ及び第２垂直挿着孔５８ａがそれぞれ穿設された第１の垂直受け部６０ａ及び第２の垂直受け部６２ａと、を含む構成とされている。
【００２０】
また、前記ハンガーパイプ結合具本体１２ａの中央部に設けられ、ハンガーを吊り下げるためのハンガーパイプ２０ａ，２０ｂを挿入するためのハンガーパイプ挿入孔が少なくとも縦２行横２列に複数個（図示例では、ハンガーパイプ挿入孔１６ａ〜１６ｄ）穿設されている。そして、該複数個のハンガーパイプ挿入孔１６ａ〜１６ｄのうち、対角線に位置するハンガーパイプ挿入孔（図示例では、ハンガーパイプ挿入孔１６ｂ,１６ｃ）に少なくとも二本のハンガーパイプ２０ａ，２０ｂが段違いで掛架しうるように構成されている。
【００２１】
このような構成とすれば、金属製のパイプからなる枠体にカバー部材を被せた組立式のクローゼットにおいて、少なくとも二本のハンガーパイプを段違いで掛架することで、衣服の収納枚数を約１．５倍に増やすことができる。
【００２２】
図示例では、ハンガーパイプ挿入孔１６ｂと１６ｄの距離Ｄ１と、ハンガーパイプ挿入孔１６ｃと１６ｄの距離Ｄ２とは同一距離としたが、対角線に位置するハンガーパイプ挿入孔に挿入したときに二本のハンガーパイプが段違いに掛架される構成であれば、ハンガーパイプ挿入孔の距離に特別の限定はない。
【００２３】
図３に示すように、ハンガーパイプ結合具１０ａを用いた組立式クローゼット５０とするには、前記ハンガーパイプ結合具を一対相対向して設け（ハンガーパイプ１０ａ，１０ｂ）、前記第１水平挿着孔１４ａ及び第２水平挿着孔１４ｂのそれぞれに第１の水平パイプ１８ａ及び第２の水平パイプ１８ｂを挿入し、前記縦２行横２列に穿設されたハンガーパイプ挿入孔１６ａ〜１６ｄのうち、対角線上に並んだ２つのハンガーパイプ挿入孔１６ｂ,１６ｃに第１ハンガーパイプ２０ａ及び第２ハンガーパイプ２０ｂを挿入して段違いで掛架し、前記第１垂直挿着孔５６ａ及び第２垂直挿着孔５６ｂに第１の垂直パイプ２４ａ及び第２の垂直パイプ２４ｂをそれぞれ挿入し、前記第１の垂直パイプ２４ａ及び第２の垂直パイプ２４ｂにパイプ結合具２６ａ，２６ｂを組み付ける。
【００２４】
そして、図示例では、パイプ結合具２６ａ，２６ｂの下部垂直挿着孔３２ａ〜３２ｄに下方垂直パイプ２８ａ〜２８ｄの一端を挿入し、下方垂直パイプ２８ａ〜２８ｄの他端を下方パイプ結合具３０ａ，３０ｂの上部垂直挿着孔に取り付けられている。
【００２５】
また、パイプ結合具２６ａ，２６ｂの水平挿着孔３２ｂ，３２ｄには、水平パイプ１８ｃが挿着されている。
【００２６】
さらに、下方パイプ結合具３０ａ，３０ｂの水平挿着孔３７ａ〜３７ｄには、水平パイプ１８ｄ，１８ｅが挿着されている。
【００２７】
パイプ結合具２６ａ，２６ｂの中央部３３ａ，３３ｂには、取付け孔３４ａ，３４ｂが設けられており、また、下方パイプ結合具３０ａ，３０ｂの中央部３６ａ，３６ｂにも、取付け孔３８ａ，３８ｂが設けられており、必要に応じて水平パイプを取り付けられるようになっている。
【００２８】
なお、第１ハンガーパイプ２０ａ及び第２ハンガーパイプ２０ｂは、図示例では、第２ハンガーパイプ２０ｂよりも、第１ハンガーパイプ２０ａの方を低く取り付けた例を示したが、第１ハンガーパイプ２０ａよりも第２ハンガーパイプ２０ｂの方を低く取り付けるようにすることもできる。
【００２９】
クローゼット枠体４８の下端部、すなわち下方パイプ結合具３０ａ，３０ｂの下部垂直挿着孔３７ａ〜３７ｄには、キャスター部材４０ａ〜４０ｄが取り付けられており、容易に移動させることが可能となっている。
【００３０】
符号４２は、水平パイプ１８ｄ，１８ｅを固定するための固定部材であり、符号４４は、水平パイプ１８ｄ，１８ｅ及び固定部材４２の上に乗せられる床板部材である。なお、図示例では、床板部材４４を外した状態を示してある。
【００３１】
このように構成することで、クローゼット枠体４８を形成する。そして、図３に示されるように、開閉口７０（図示例ではファスナー式の開閉口）が形成されたカバー部材４６で覆うことにより、略直方形状とされてなる組立式クローゼット５０となる。なお、カバー部材４６としては、不織布を使用した例を示したが、材質などに特別の限定はない。
【００３２】
以上のように、本考案のハンガーパイプ結合具を用いれば、簡単かつコストのかからない構造で、クローゼットが占める専有面積を変えることなく、組立式クローゼットのハンガーに吊り下げる衣服の収納枚数を約１．５倍に増やすことができる。
【図面の簡単な説明】
【００３３】
【図１】本考案のハンガーパイプ結合具を示す斜視図である。
【図２】本考案の組立式クローゼットのクローゼット枠体を示す斜視図である。
【図３】本考案の組立式クローゼットを組み立てた状態を示す斜視図である。
【符号の説明】
【００３４】
１０ａ，１０ｂ：本考案のハンガーパイプ結合具、１２ａ：ハンガーパイプ結合具本体、１４ａ，１４ｂ，３７ａ〜３７ｄ，５４ａ：水平挿着孔、１６ａ〜１６ｄ：ハンガーパイプ挿入孔、１８ａ〜１８ｅ：水平パイプ、２０ａ，２０ｂ：ハンガーパイプ、２２ａ，５２ａ：水平受け部、２４ａ〜２４ｄ，２８ａ〜２８ｄ：垂直パイプ、２６ａ，２６ｂ：パイプ結合具、３０ａ，３０ｂ：下方パイプ結合具、３２ａ〜３２ｄ：下部垂直挿着孔、３３ａ，３３ｂ，３６ａ，３６ｂ：中央部、３４ａ，３４ｂ：取付け孔、４０ａ〜４０ｄ：キャスター部材、４２：固定部材、４４：床板部材、４６：カバー部材、４８：クローゼット枠体、５０：組立式クローゼット、５６ａ，５６ｂ，５８ａ：垂直挿着孔、６０ａ，６２ａ：垂直受け部、７０：開閉口、Ｄ１，Ｄ２：距離。
【図１】
0003147576.tif 000003
【図２】
0003147576.tif 000004
【図３】
0003147576.tif 000005